(57)【特許請求の範囲】
【請求項１】
第１の層の画像枠に複数の画像を所定数までレイアウト設定可能で、前記第１の層または該第１の層とは異なる第２の層に前記画像枠毎に対応する各装飾図柄が予めレイアウトされ、複数の層を重ねることにより画像の形成が可能な画像形成装置であって、
形成する画像を複数取得可能な画像取得手段と、
前記取得した数の画像を前記第１の層の各画像枠にレイアウト設定し、前記各画像枠のうちで画像がレイアウト設定されなかった空白枠が生じた場合には前記第１および第２の層よりも上層の第３の層を設けると共に下層の前記空白枠に対応する装飾図柄の全部を覆うように前記第３の層に塗りつぶし用画像をレイアウトするレイアウト設定手段と、
前記レイアウト設定された複数の層を重ねることにより画像を形成する画像形成手段と
を備える画像形成装置。
【請求項２】
請求項１記載の画像形成装置であって、
前記第２の層は、前記第１の層よりも上層で、前記装飾図柄として下層である前記第１の層の画像枠に相当する部分が視認可能に該画像枠毎に対応する透明領域が設定されたフレーム画像がレイアウトされた層であり、
前記レイアウト設定手段は、前記第３の層における下層の前記空白枠に対応する透明領域に相当する部分に、前記フレーム画像の背景と同色および同模様の前記塗りつぶし用画像をレイアウト設定する手段である
画像形成装置。
【請求項３】
請求項１記載の画像形成装置であって、
前記第１の層は、背景画像に前記所定数の画像枠と該画像枠毎に対応する前記装飾図柄とがレイアウト設定された層であり、
前記レイアウト設定手段は、前記第３の層における下層の前記空白枠に対応する装飾図柄に相当する部分に、前記背景画像と同色および同模様の前記塗りつぶし用画像をレイアウト設定する手段である
画像形成装置。
【請求項４】
第１の層の画像枠に複数の画像を所定数までレイアウト設定可能で、前記第１の層または該第１の層とは異なる第２の層に前記画像枠毎に対応する各装飾図柄が予めレイアウトされ、複数の層を重ねることにより画像の形成が可能な画像形成装置を制御する画像形成装置の制御方法であって、
（ａ）形成する画像を複数取得し、
（ｂ）前記取得した数の画像を前記第１の層の各画像枠にレイアウト設定し、前記各画像枠のうちで画像がレイアウト設定されなかった空白枠が生じた場合には前記第１および第２の層よりも上層の第３の層を設けると共に下層の前記空白枠に対応する装飾図柄の全部を覆うように前記第３の層に塗りつぶし用画像をレイアウト設定し、
（ｃ）前記レイアウト設定された複数の層を重ねることにより画像を形成する
ことを特徴とする画像形成装置の制御方法。
【発明の詳細な説明】
【技術分野】
【０００１】
本発明は、第１の層の画像枠に複数の画像を所定数までレイアウト設定可能で、前記第１の層または該第１の層とは異なる第２の層に前記画像枠毎に対応する各装飾図柄が予めレイアウトされ、複数の層を重ねることにより画像の形成が可能な画像形成装置および画像形成装置の制御方法に関する。
【背景技術】
【０００２】
従来、この種の画像形成装置としては、画像とこれを装飾する装飾図柄とを一体的に合成した合成画像を複数のレイヤーの重ね合わせにより作成するものが提案されている（例えば、特許文献１や特許文献２参照）。この装置では、重ね合わせのレイヤーとして、指定された領域が透明化された透明領域（嵌込領域）と装飾図柄が施された装飾領域とからなる装飾レイヤーと、装飾レイヤーの下層に設けられ上層の透明領域に相当する範囲に装飾図柄と同一および連続の図柄（隠蔽領域）を配置した補助レイヤーと、を備え、装飾レイヤーと補助レイヤーとの間で且つ上層の嵌込領域（透明領域）に相当する位置に画像を嵌め込むことにより、各レイヤーを重ね合わせた際に装飾レイヤー（装飾図柄）と補助レイヤー（隠蔽領域）と画像とが一体的となった合成画像を得る。このとき、補助レイヤーに装飾図柄と同じ図柄の隠蔽領域を設けているから、装飾レイヤーの嵌込領域のサイズが画像のサイズよりも大きく余白が生じる場合でも、余白部分は隠蔽領域により装飾図柄と同じ図柄となって隠蔽され、より自然な画像を表示することができるとしている。
【先行技術文献】
【特許文献】
【０００３】
【特許文献１】特開２００６−１０７３２７号公報
【特許文献２】特開２００６−１１３７４２号公報
【発明の概要】
【発明が解決しようとする課題】
【０００４】
ところで、複数の画像を複数の画像枠にレイアウトし、各画像毎に個別に装飾図柄を割り当てて表示する場合、用意するテンプレートをできる限り少なくするために、全ての画像枠に対して予め装飾図柄が割り当てられた装飾画像テンプレートを一つだけ用意することが考えられる。しかしながら、この場合、レイアウトすべき画像の数が画像枠の数よりも少なく、各画像枠のうち画像がレイアウトされない空白枠が生じると、空白枠に対しても装飾図柄が割り当てられてしまうから、不自然な画像となってしまう。
【０００５】
本発明の画像形成装置およびその制御方法は、レイアウト設定する画像の数毎に装飾図柄のレイアウトを変更したり別途テンプレートを用意したりする必要なしに、画像とその装飾図柄とを適正に形成させることを主目的とする。
【０００６】
本発明の画像形成装置およびその制御方法は、上述の主目的を達成するために以下の手段を採った。
【課題を解決するための手段】
【０００７】
本発明の画像形成装置は、
第１の層の画像枠に複数の画像を所定数までレイアウト設定可能で、前記第１の層または該第１の層とは異なる第２の層に前記画像枠毎に対応する各装飾図柄が予めレイアウトされ、複数の層を重ねることにより画像の形成が可能な画像形成装置であって、
形成する画像を複数取得可能な画像取得手段と、
前記取得した数の画像を前記第１の層の各画像枠にレイアウト設定し、前記各画像枠のうちで画像がレイアウト設定されなかった空白枠が生じた場合には前記第１および第２の層よりも上層の第３の層を設けると共に該第３の層における下層の前記空白枠に対応する装飾図柄に相当する部分に塗りつぶし用画像をレイアウト設定するレイアウト設定手段と、
前記レイアウト設定された複数の層を重ねることにより画像を形成する画像形成手段と
を備えることを要旨とする。
【０００８】
この本発明の画像形成装置では、形成する画像を複数取得し、取得した数の画像を第１の層の各画像枠にレイアウト設定し、各画像枠のうちで画像がレイアウト設定されなかった空白枠が生じた場合には第１および第２の層よりも上層の第３の層を設けると共に第３の層における下層の空白枠に対応する装飾図柄に相当する部分に塗りつぶし用画像をレイアウト設定し、レイアウト設定された複数の層を重ねることにより画像を形成する。これにより、複数の層が重ねて形成された際に、画像がレイアウト設定されなかった空白枠に対応する装飾図柄が形成されないようにすることができる。この結果、レイアウト設定する画像の数毎に装飾図柄のレイアウトを変更したり別途テンプレートを用意したりする必要なしに、画像とその装飾図柄とを適正に形成させることができる。
【０００９】
こうした本発明の画像形成装置において、前記第２の層は、前記第１の層よりも上層で、前記装飾図柄として下層である前記第１の層の画像枠に相当する部分が視認可能に該画像枠毎に対応する透明領域が設定されたフレーム画像がレイアウトされた層であり、前記レイアウト設定手段は、前記第３の層における下層の前記空白枠に対応する透明領域に相当する部分に、前記フレーム画像の背景と同色および同模様の前記塗りつぶし用画像をレイアウト設定する手段であるものとすることもできる。
【００１０】
また、本発明の画像形成装置において、前記第１の層は、背景画像に前記所定数の画像枠と該画像枠毎に対応する前記装飾図柄とがレイアウト設定された層であり、前記レイアウト設定手段は、前記第３の層における下層の前記空白枠に対応する装飾図柄に相当する部分に、前記背景画像と同色および同模様の前記塗りつぶし用画像をレイアウト設定する手段であるものとすることもできる。
【００１１】
本発明の画像形成装置の制御方法は、
第１の層の画像枠に複数の画像を所定数までレイアウト設定可能で、前記第１の層または該第１の層とは異なる第２の層に前記画像枠毎に対応する各装飾図柄が予めレイアウトされ、複数の層を重ねることにより画像の形成が可能な画像形成装置を制御する画像形成装置の制御方法であって、
（ａ）形成する画像を複数取得し、
（ｂ）前記取得した数の画像を前記第１の層の各画像枠にレイアウト設定し、前記各画像枠のうちで画像がレイアウト設定されなかった空白枠が生じた場合には前記第１および第２の層よりも上層の第３の層を設けると共に該第３の層における下層の前記空白枠に対応する装飾図柄に相当する部分に塗りつぶし用画像をレイアウト設定し、
（ｃ）前記レイアウト設定された複数の層を重ねることにより画像を形成する
ことを要旨とする。
【００１２】
この本発明の画像形成装置の制御方法によれば、形成する画像を複数取得し、取得した数の画像を第１の層の各画像枠にレイアウト設定し、各画像枠のうちで画像がレイアウト設定されなかった空白枠が生じた場合には第１および第２の層よりも上層の第３の層を設けると共に第３の層における下層の空白枠に対応する装飾図柄に相当する部分に塗りつぶし用画像をレイアウト設定し、レイアウト設定された複数の層を重ねることにより画像を形成する。これにより、複数の層が重ねて形成された際に、画像がレイアウト設定されなかった空白枠に対応する装飾図柄が形成されないようにすることができる。この結果、レイアウト設定する画像の数毎に装飾図柄のレイアウトを変更したり別途テンプレートを用意したりする必要なしに、画像とその装飾図柄とを適正に形成させることができる。
【図面の簡単な説明】
【００１３】
【図１】本実施形態であるプリンター２０の外観を示す外観斜視図。
【図２】本実施形態のプリンター２０の機能ブロックを示すブロック図。
【図３】トップメニュー画面７０の一例を示す説明図。
【図４】レイアウトの一例を示す説明図。
【図５】レイアウト印刷処理の一例を示すフローチャート。
【図６】ギャラリーレイアウトにおける各層の合成結果の一例を示す説明図。
【図７】ギャラリーレイアウトの構成の一例を示す説明図。
【図８】塗りつぶし画像をレイアウトしなかった場合の出力結果を示す説明図。
【図９】フレームレイアウトにおける各層の合成結果の一例を示す説明図。
【図１０】フレームレイアウトの構成の一例を示す説明図。
【図１１】塗りつぶし画像をレイアウトしなかった場合の出力結果を示す説明図。
【発明を実施するための形態】
【００１４】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図である。
【００１５】
本実施形態のプリンター２０は、印刷機構４０（図２参照）を内蔵しＬ版サイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の側面には電源をオンオフするための電源ボタン２６が、それぞれ設けられている。また、本体２１の前面には、印刷機構４０により印刷された用紙を保持する排紙トレイ２４と、写真や印刷時の設定を確認するための液晶ディスプレイ（ＬＣＤ）２５と、排紙トレイ２４に隣接した位置の赤外線通信ポート２８とが設けられている。赤外線通信ポート２８は、受光部が内蔵されており、リモートコントロール装置３０の発光部３０ａからの発光を受光することにより、リモートコントロール装置３０のボタン操作によってプリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１６】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１７】
ＬＣＤ２５は、ＬＣＤコントローラー５４による表示制御を受けて文字や図形，記号などを表示する液晶ディスプレイである。ＬＣＤ２５は、本実施形態では、９６０ドット×２４０ドットの画素により構成されている。
【００１８】
また、本実施形態のプリンター２０は、その制御系としては、図２に示すように、プリンター全体の制御を司るメインコントローラー６０と、印刷機構４０を制御するプリンターＡＳＩＣ４８と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、を備え、これらはバス５９を介して互いに電気的に接続されている。
【００１９】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるフラッシュメモリー６４と、電源ボタン２６からの操作信号を入力するインターフェース６５（Ｉ／Ｆ）とを備える。このメインコントローラー６０は、メモリーカードスロット５６に挿入されたメモリーカードＭＣから画像ファイルなどを入力したり、赤外線通信コントローラー５２からの操作信号や印刷機構４０の各部からの検出信号などを入力したりする。また、メインコントローラー６０は、メモリーカードＭＣに編集画像などを保存したり、プリンターＡＳＩＣ４８への指令信号やＬＣＤコントローラー５４への制御信号を出力したりする。
【００２０】
こうして構成された本実施形態のプリンター２０では、トップメニューボタン３３が押されると、トップメニュー画面を表示して各種項目の選択を受け付ける。図３にトップメニュー画面７０の一例を示す。トップメニュー画面７０では、本実施形態では、図示するように、メモリーカードＭＣやフラッシュメモリー６４に記憶されている画像データを順次再生するための「スライドショー」や写真を印刷するための「写真の印刷」，写真を所望の形にトリミングして印刷するトリミング印刷や写真を多面レイアウトで印刷するレイアウト印刷，写真にフレームを付けて印刷するフレーム印刷などを行なうための「いろいろな印刷」，メモリーカードＭＣ内のデータをフラッシュメモリー６４にバックアップするための「データ管理」の項目がある。ユーザーは、これらの項目のいずれかを上下左右ボタン３５により選択し、ＯＫボタン３６を押すことにより決定することができる。
【００２１】
トップメニュー画面７０でユーザーにより「いろいろな印刷」が選択された後に更に「レイアウト印刷」が選択されると、写真選択画面によりメモリーカードＭＣに記憶されている写真の中から印刷する写真の選択を受け付けると共にレイアウト選択画面により写真のレイアウトの選択を受け付け、レイアウトと写真とが選択されると続く設定画面により選択された写真の印刷枚数や用紙サイズ，用紙種類，フチ／日付の設定を受け付け、各設定項目が選択されるとプレビュー画面を表示して印刷ボタン３８が押されるのを待つ。印刷ボタン３８が押されると、選択された写真（圧縮画像ファイル）を読み出して解凍し、解凍後のＲＧＢデータをリサイズしてＣＭＹＫデータに色変換し、色変換後のＣＭＹＫデータにハーフトーン処理を施すことにより２値化して印刷データを生成し、生成した印刷データに基づいて印刷機構４０を制御することにより印刷を実行する。図４に、レイアウト印刷に用いられるレイアウトの一例を示す。図４（ａ）のレイアウトでは、黒色で無地の背景画像（ALB0x003.png）に横方向に並んだ３つの写真枠Ａ１〜Ａ３が割り当てられており、各写真枠Ａ１〜Ａ３の上には照明ＩＬ１〜ＩＬ３が、各写真枠Ａ１〜Ａ３の下には照明ＩＬ１〜ＩＬ３や写真枠（フレーム）の影Ｓ１〜Ｓ３がそれぞれレイアウトされたギャラリーレイアウトである。このギャラリーレイアウトでは、照明ＩＬ１〜ＩＬ３や影Ｓ１〜Ｓ３は背景画像に予めレイアウトされたものを用いるものとした。図４（ｂ）のレイアウトでは、黒色で無地の背景画像（ALB0x005.png）に横方向に並んだ５つの写真枠Ａ１〜Ａ５が割り当てられており、背景画像の上層の各写真枠Ａ１〜Ａ５に相当する位置に５つの円形の透明領域Ｔ１〜Ｔ５が予めレイアウトされた白色で無地のフレーム画像を備えるフレームレイアウトである。以下、ギャラリーレイアウトにおける照明ＩＬ１〜ＩＬ３や影Ｓ１〜Ｓ３，フレームレイアウトにおける透明領域Ｔ１〜Ｔ５を総称して装飾図柄と呼ぶこともある。
【００２２】
次に、こうして構成された本実施形態のプリンター２０の動作、特に、レイアウト印刷が指示されたときの動作について説明する。図５は、レイアウト印刷処理ルーチンの一例を示すフローチャートである。このルーチンは、ユーザーによりレイアウト印刷が指示されたときに実行される。なお、レイアウト印刷の指示は、前述したように、トップメニュー画面７０で「いろいろな印刷」を選択した後に、更に「レイアウト印刷」を選択することにより行なうことができる。
【００２３】
レイアウト印刷処理ルーチンが実行されると、メインコントローラー６０のＣＰＵ６１は、まず、印刷する写真を選択すると共に（ステップＳ１００）、写真を印刷するためのレイアウトを選択する処理を実行する（ステップＳ１１０）。ここで、写真の選択は、図示しない写真選択画面によりユーザーが１つずつ写真を選択することにより行なうものとしたり、ユーザーが撮影日付などの検索条件を指定することにより検索条件が一致する写真を自動選択することにより行なうことができる。また、レイアウトの選択は、図示しないレイアウト選択画面を用いて、前述したギャラリーレイアウトやフレームレイアウトなどを含む予め用意された複数のレイアウトの中から一つをユーザーが選択することにより行なうことができる。
【００２４】
こうして印刷するレイアウトと写真が選択されると、選択された写真を選択されたレイアウトの写真枠にレイアウトする（ステップＳ１２０）。そして、選択されたレイアウトの写真枠のいずれかに空白が生じたか否かを判定する（ステップＳ１３０）。写真枠に空白が生じたか否かの判定は、選択された写真の数が選択されたレイアウトの写真枠の数よりも少ないか否かを判定することにより行なわれる。例えば、３枚分の写真枠Ａ１〜Ａ３を有する図４（ａ）のギャラリーレイアウトが選択されている場合には、選択された写真が２枚以下のときに空白が生じ、５枚分の写真枠Ａ１〜Ａ５を有する図４（ｂ）のフレームレイアウトが選択されている場合には、選択された写真が４枚以下のときに空白が生じる。
【００２５】
一方、写真枠に空白が生じると判定されると、全面が透明領域の最上位層を作成し（ステップＳ１４０）、作成した最上位層における空白枠に対応する装飾図柄に相当する範囲に塗りつぶし画像をレイアウトする（ステップＳ１５０）。これにより、各層を下層から重ね合わせたときに、各写真枠に対応する下層の装飾図柄のうち空白枠に対応する装飾図柄だけが塗りつぶし画像によって塗りつぶされることになる。
【００２６】
こうしてステップＳ１５０で最上位層に塗りつぶし画像をレイアウトしたり、ステップＳ１３０でレイアウトに空白枠がないと判定されると、各層の重ね合わせにより画像を合成し（ステップＳ１６０）、合成した画像のプレビュー画像を作成すると共に作成したプレビュー画像をＬＣＤ２５に出力して印刷ボタン３８が押されるのを待つ（ステップＳ１７０，Ｓ１８０）。印刷ボタン３８が押されると、印刷処理を実行して（ステップＳ１９０）、本ルーチンを終了する。
【００２７】
いま、ユーザーによって図４（ａ）に示すギャラリーレイアウトが選択されると共に２枚の写真が選択され、写真枠Ａ２，Ａ３に写真がレイアウトされて写真枠Ａ１が空白となっている場合を考える。この場合、前述したように、キャラリーレイアウトの背景画像（ALB0x003.png）は黒色で無地の画像としていることから、これと同じ黒色で無地の画像を塗りつぶし画像として用いて最上位層の写真枠Ａ１の照明ＩＬ１と影Ｓ１とを覆う範囲にレイアウトする（図６，図７参照）。これにより、予め照明ＩＬ１〜ＩＬ３と影Ｓ１〜Ｓ３がレイアウトされた背景画像と、背景画像よりも上位の層にレイアウトされた塗りつぶし画像とが重ね合わせされた合成画像は、照明ＩＬ１〜ＩＬ３と影Ｓ１〜Ｓ３のうち照明ＩＬ１と影Ｓ１だけが背景画像の背景色で塗りつぶされて見えなくなる。なお、塗りつぶし画像をレイアウトしない場合には、図８に示すように、写真がない写真枠に対しても照明と影が表われるため、不自然な画像となることがわかる。
【００２８】
次に、ユーザーによって図４（ｂ）に示すフレームレイアウトが選択されると共に写真枠Ａ２〜Ａ４に写真がレイアウトされて写真枠Ａ１，Ａ５が空白となっている場合を考える。この場合、前述したように、フレームレイアウトの背景画像（ALB0x005.png）はその上位層にあるフレーム画像によって隠されると共にフレーム画像が白色で無地の画像としていることから、フレーム画像の背景と同じ白色で無地の画像を塗りつぶし画像として用いて最上位層の写真枠Ａ１の透明領域Ｔ１と写真枠Ａ５の透明領域Ｔ５とを覆う範囲にレイアウトする（図９，図１０参照）。これにより、背景画像と背景画像よりも上層で予め透明領域Ｔ１〜Ｔ５がレイアウトされたフレーム画像とフレーム画像よりも上層にレイアウトされた塗りつぶし画像とが重ね合わせされた合成画像は、透明領域Ｔ１〜Ｔ５のうち透明領域Ｔ１，Ｔ５の２つだけがフレーム画像の背景色で塗りつぶされて見えなくなる。なお、塗りつぶし画像をレイアウトしない場合には、図１１に示すように、写真がない写真枠に対しても透明領域が表われ、その下層の背景画像が見えるため、不自然な画像となることがわかる。
【００２９】
ここで、本実施形態の構成要素と本発明の構成要素との対応関係を明らかにする。本実施形態のメモリーカードコントローラー５８や図５のレイアウト印刷処理ルーチンのステップＳ１００の処理を実行するメインコントローラー６０が本発明の「画像取得手段」に相当し、レイアウト印刷処理ルーチンのステップＳ１１０〜Ｓ１５０の処理を実行するメインコントローラー６０が本発明の「レイアウト設定手段」に相当し、レイアウト印刷処理ルーチンのステップＳ１６０〜Ｓ１９０の処理を実行するメインコントローラー６０が「画像形成手段」に相当する。また、ギャラリーレイアウトにおける黒色で無地の背景画像（ALB0x003.png）と写真枠Ａ１〜Ａ３と照明ＩＬ１〜ＩＬ３と影Ｓ１〜Ｓ３とがレイアウト設定される層が「第１の層」に相当し、第１の層よりも上層で、下層の空白枠の周りに相当する部分に背景画像と同じ黒色で無地の塗りつぶし画像がレイアウト設定される層が「第３の層」に相当する。また、フレームレイアウトにおける背景画像（ALB0x005.png）と写真枠Ａ１〜Ａ５とがレイアウト設定される層が「第１の層」に相当し、第１の層よりも上層で、下層の各写真枠Ａ１〜Ａ５に相当する部分に５つの円形の透明領域Ｔ１〜Ｔ５を有する白色で無地のフレーム画像がレイアウト設定される層が「第２の層」に相当し、第２の層よりも上層で、下層の空白枠に相当する部分にフレーム画像の背景と同じ白色で無地の塗りつぶし画像がレイアウト設定される層が「第３の層」に相当する。なお、本実施形態では、プリンター２０の動作を説明することにより本発明の画像形成装置の制御方法の一例も明らかにしている。
【００３０】
以上説明した本実施形態のプリンター２０によれば、複数の写真枠が割り当てられると共に写真枠毎に対応する装飾図柄が予め施されたレイアウトの写真枠に写真をレイアウトする際に、写真がレイアウトされない空白枠が生じる場合には、全面が透明領域の最上位層を作成し、作成した最上位層における下層の空白枠に対応する装飾図柄に相当する範囲に塗りつぶし画像をレイアウトするから、各層を下層から重ね合わせたときに、各写真枠に対応する装飾図柄のうち空白枠に対応する装飾図柄だけが塗りつぶし画像によって塗りつぶされたように見せることができる。この結果、レイアウト設定する画像の数毎に装飾図柄のレイアウトを変更したり別途テンプレートを用意したりする必要なしに、画像とその装飾図柄とを適正に形成することができる。
【００３１】
上述した実施形態では、図４（ａ）に示すギャラリーレイアウトの背景画像として黒色で無地の画像を用いるものとしたが、これに限定されるものではなく、如何なる色で如何なる模様の画像を背景画像として用いるものとしてもよい。この場合、塗りつぶし画像として、背景画像と同じ色で且つ同じ模様の画像を設定するものとすればよい。
【００３２】
上述した実施形態では、図４（ｂ）に示すフレームレイアウトのフレーム画像として白色で無地の画像を用いるものとしたが、これに限定されるものではなく、下層の画像枠に相当する部分が視認可能な透明領域が複数形成されたものであれば、如何なる色で如何なる模様の画像をフレーム画像として用いるものとしてもよい。この場合、塗りつぶし画像として、フレーム画像の背景と同じ色で且つ同じ模様の画像を設定するものとすればよい。
【００３３】
上述した実施形態では、図４（ａ）に示すギャラリーレイアウトでは写真（写真枠Ａ１〜Ａ３）とその装飾図柄（照明ＩＬ１〜ＩＬ３や影Ｓ１〜Ｓ３）とを同じ層（背景画像）にレイアウトするものとしたが、これらを異なる層にレイアウトするものとしてもよい。例えば、写真を背景画像にレイアウトし、装飾図柄を背景画像よりも上層にレイアウトするものとしてもよい。
【００３４】
上述した実施形態では、本発明をプリンター２０に適用して説明したが、原稿の読み取りが可能なスキャナーを備えるマルチファンクションプリンターに適用するものとしたり、ＦＡＸ機能を備えるＦＡＸ装置に適用するものとしてもよいし、画像を表示する表示装置に適用するものとしてもよい。
【００３５】
なお、本発明は上述した実施形態に何ら限定されることはなく、本発明の技術的範囲に属する限り種々の態様で実施し得ることはいうまでもない。
【符号の説明】
【００３６】
２０  プリンター、２１  本体、２２  取っ手、２３  オートシードフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５２  赤外線通信コントローラー、５４  ＬＣＤコントローラー、５６  メモリーカードスロット、５８  メモリーカードコントローラー、５９  バス、６０  メインコントローラー、６１  ＣＰＵ、６２  ＲＯＭ、６３  ＲＡＭ、６４  フラッシュメモリー、６５  インターフェース（Ｉ／Ｆ）、７０  トップメニュー画面、Ｓ  用紙、ＭＣ  メモリーカード。
【図１】
0005720339.tif 000002
【図２】
0005720339.tif 000003
【図３】
0005720339.tif 000004
【図５】
0005720339.tif 000005
【図７】
0005720339.tif 000006
【図９】
0005720339.tif 000007
【図１０】
0005720339.tif 000008
【図１１】
0005720339.tif 000009
【図４】
0005720339.tif 000010
【図６】
0005720339.tif 000011
【図８】
0005720339.tif 000012